(57)【要約】【課題】湾曲または屈曲した外観形状を有するパーテーションにおける不都合を解消し、コンパクト化を図るとともに種々な用途に適したパーテーションを提供する。【解決手段】パーテーションＡ１は、弾性変形可能な板状のパーテーション本体１と、上方に開口し、平面視において幅方向一方側が凸となるように湾曲して延びる溝部２０、を有するベース体２と、を備え、パーテーション本体１は、その周縁部の所定部位をベース体２の溝部２０に嵌めることにより起立するように構成されている。【選択図】図２
2014152552.tif 000002
【特許請求の範囲】
【請求項１】
弾性変形可能または折り曲げ変形可能な板状のパーテーション本体と、
上方に開口し、平面視において幅方向一方側が凸となるように湾曲または屈曲して延びる溝部、を有するベース体と、を備え、
上記パーテーション本体は、その周縁部の所定部位を上記ベース体の上記溝部に嵌めることにより起立するように構成されていることを特徴とする、パーテーション。
【請求項２】
上記溝部は、上方に向かうにつれて当該溝部の平面視において凹となる方向に変位するように傾斜している、請求項１に記載のパーテーション。
【請求項３】
上記パーテーション本体における上記周縁部は、上記所定部位を含む下縁を有し、
上記所定部位は、上記下縁の長手方向における中間に位置する、請求項１または２に記載のパーテーション。
【請求項４】
上記パーテーション本体における上記周縁部は、上記下縁と対向する上縁を有し、
上記上縁の長手方向における寸法は、上記下縁の長手方向における寸法よりも短い、請求項３に記載のパーテーション。
【請求項５】
上記所定部位が上記溝部から抜け出すのを防止する抜け止め手段をさらに備える、請求項１ないし４のいずれかに記載のパーテーション。
【発明の詳細な説明】
【技術分野】
【０００１】
本発明は、室内空間を簡易的に区切るためのパーテーションに関する。
【背景技術】
【０００２】
従来、室内空間を区切るための手段として、パーテーションが多用されている。パーテーションは、一般に、所定の大きさを有して自立が可能となる矩形状枠体にすりガラスやプレートが張設された衝立として形成され、この衝立を床面に立てることによって、室内空間を区切るようになっている。また、湾曲状の枠体を具備するパーテーションも知られている（たとえば、特許文献１を参照）。
【０００３】
特許文献１に開示されたパーテーションは、上下枠部が湾曲したアルミ製の矩形状枠体と、この矩形状枠体に被せられる間仕切り袋とを備えている。矩形状枠体の上下枠部は、平面的に同一方向へ円弧状に湾曲しており、これにより矩形状枠体は自立可能となっている。間仕切り袋は、伸縮性のあるシート材によって構成されており、上記矩形状枠体に対して緊張した状態で被せられる。このような構成によって、特許文献１のパーテーションは、同文献の図１、図２等に表れているように、全体として湾曲した外観形状を有し、従来よく見られた平面状のパーテーションに比べてデザイン性に富む。
【０００４】
しかしながら、上記特許文献１に記載のパーテーションは、たとえばオフィスなどにおける室内空間を区切るのに適しており、比較的にサイズが大きい。したがって、運搬などの取り扱いに手間がかかり、保管時等においても占有スペースが大きくならざるを得なかった。
【先行技術文献】
【特許文献】
【０００５】
【特許文献１】特開２００６−３１６４９９号公報
【発明の概要】
【発明が解決しようとする課題】
【０００６】
本発明は、このような事情のもとで考え出されたものであって、湾曲または屈曲した外観形状を有するパーテーションにおいて、上記した不都合を解消し、コンパクト化を図るとともに種々な用途に適したパーテーションを提供することを課題とする。
【課題を解決するための手段】
【０００７】
上記の課題を解決するため、本発明では、次の技術的手段を講じている。
【０００８】
本発明によって提供されるパーテーションは、弾性変形可能または折り曲げ変形可能な板状のパーテーション本体と、上方に開口し、平面視において幅方向一方側が凸となるように湾曲または屈曲して延びる溝部、を有するベース体と、を備え、上記パーテーション本体は、その周縁部の所定部位を上記ベース体の上記溝部に嵌めることにより起立するように構成されていることを特徴としている。
【０００９】
本発明の好ましい実施の形態においては、上記溝部は、上方に向かうにつれて当該溝部の平面視において凹となる方向に変位するように傾斜している。
【００１０】
本発明の好ましい実施の形態においては、上記パーテーション本体における上記周縁部は、上記所定部位を含む下縁を有し、上記所定部位は、上記下縁の長手方向における中間に位置する。
【００１１】
本発明の好ましい実施の形態においては、上記パーテーション本体における上記周縁部は、上記下縁と対向する上縁を有し、上記上縁の長手方向における寸法は、上記下縁の長手方向における寸法よりも短い。
【００１２】
本発明の好ましい実施の形態においては、上記所定部位が上記溝部から抜け出すのを防止する抜け止め手段をさらに備える。
【００１３】
本発明のその他の特徴および利点は、添付図面を参照して以下に行う詳細な説明によって、より明らかとなろう。
【図面の簡単な説明】
【００１４】
【図１】本発明に係るパーテーションの一例を示す斜視図である。
【図２】図１に示すパーテーションの平面図である。
【図３】図２のＩＩＩ−ＩＩＩ線に沿う断面図である。
【図４】パーテーション本体を示す図である。
【図５】ベース体の平面図である。
【図６】ベース体の正面図である。
【図７】ベース体を構成する第１部材の平面図である。
【図８】図５のＶＩＩＩ−ＶＩＩＩ線に沿う断面図である。
【図９】図５のＩＸ−ＩＸ線に沿う拡大断面図である。
【図１０】図５のＸ−Ｘ線に沿う拡大断面図である。
【図１１】図５のＸＩ−ＸＩ線に沿う拡大断面図である。
【図１２】ベース体を構成する第２部材の部分拡大斜視図である。
【図１３】ベース体へのパーテーション本体の装着を説明するための部分拡大断面図である。
【図１４】ベース体へのパーテーション本体の装着を説明するための部分拡大断面図である。
【発明を実施するための形態】
【００１５】
以下、本発明の好ましい実施の形態について、図面を参照して具体的に説明する。
【００１６】
図１〜図３は、本発明に係るパーテーションの一例を示している。本実施形態のパーテーションＡ１は、パーテーション本体１と、パーテーション本体１を支持するためのベース体２とを備えて構成されている。
【００１７】
パーテーション本体１は、全体が略一定の厚さを有する板状とされており、たとえばポリプロピレンなどの弾性変形可能な合成樹脂材料からなる。図４に表れているように、パーテーション本体１は、自然状態において略平面形態をとるとともに湾曲変形させることが可能である。パーテーション本体１は、たとえば、半透明または不透明である。
【００１８】
パーテーション本体１の周縁部１０は、下縁１１と、この下縁１１に対向する上縁１２とを有する。上縁１２の長手方向における寸法は、下縁１１の長手方向における寸法の１／５〜１／２程度とされ、相対的に短くなっている。パーテーション本体１の周縁部１０において、上縁１２の両端と下縁１１の両端の間は、それぞれ丸みを帯びている。パーテーション本体１の寸法の一例を挙げると、下縁１１の長手方向における全長寸法Ｌ１が８０ｃｍ程度、下縁１１と上縁１２とが向かい合う方向の寸法Ｌ２が４８ｃｍ程度、厚さ寸法が０．８〜１．２ｍｍ程度である。
【００１９】
下縁１１には、後述するベース体２の溝部２０に嵌められる装着部位１１１が設けられている。本実施形態において、この装着部位１１１は、下縁１１の長手方向における中間に位置しており、下縁１１における装着部位１１１の両側に対して切欠きが形成されることによって、一見して識別可能となっている。詳細は後述するが、装着部位１１１は、周縁部１０の外側に凸となるように緩やかに湾曲している。また、装着部位１１１には、パーテーション本体１の厚さ方向に貫通する貫通孔１１１ａが形成されている。貫通孔１１１ａは、下縁１１１の長手方向に離間した複数箇所（本実施形態では２箇所）に設けられている。なお、下縁１１における装着部位１１１の両側の部位は、直線状に延びている。
【００２０】
図５、図６に表れているように、ベース体２は、平面視において幅方向一方側が凸となるように湾曲して延びている。ベース体２は、上方が開口する溝部２０を有し、この溝部２０は、平面視においてベース体２自体と同じ方向に凸となるように湾曲して延びている。
【００２１】
本実施形態において、ベース体２は、第１部材２１および第２部材２２を備えており、これら第１および第２部材２１，２２が一体となるように互いに固定されている。より詳細には、図８に表れているように、第１部材２１は、断面略Ｌ字状とされており、底壁２１１と、起立壁２１２とを有する。図７に表れているように、底壁２１１および起立壁２１２は、平面視において湾曲している。底壁２１１には、長さ方向に所定の間隔を隔てて複数のビス用孔２１１ａが形成されている。底壁２１１にはまた、後述する位置決め突起２２４を嵌めるための位置決め用孔２１１ｂが形成されている。起立壁２１２は、底壁２１１の幅方向における端部から上方に延びている。本実施形態では、起立壁２１２は、上方に向かうにつれてベース体２の平面視において凹となる方向に変位するように傾斜している。起立壁２１２の垂直方向に対する傾斜角度は、たとえば１０°以下程度である。本実施形態では、起立壁２１２における底壁２１１からの高さ寸法は、長さ方向の中央が最も大きく、当該中央から遠ざかるにつれて小さくなっている。
【００２２】
図８に表れているように、第２部材２２は、断面略逆Ｖ字状とされており、傾斜する縦壁２２１，２２２の頂部どうしがつながった形態を有する。第２部材２２は、第１部材２１に対応するように平面視において湾曲している。図９に表れているように、第２部材２２の適所には、ビス取付け穴２２３が形成されている。また、図１０に表れているように、第２部材２２の適所には、位置決め突起２２４が設けられている。
【００２３】
第１および第２部材２１，２２を固定する際には、位置決め突起２２４が位置決め用孔２１１ｂに嵌入させられる。このとき、図９に表れているように、第２部材２２は第１部材２１の底壁２１１上に載っており、第２部材２２のビス取付け穴２２３が第１部材２１のビス用孔２１１ａに臨んでいる。そして、ビス取付け穴２２３に皿ビス２３をねじ込むことにより、第２部材２２は第１部材２１に固定される。
【００２４】
縦壁２２１は、第１部材２１の起立壁２１２と同様に、上方に向かうにつれてベース体２の平面視において凹となる方向に変位するように傾斜している。縦壁２２１と起立壁２１２との間は略一定幅の隙間があり、当該隙間によって溝部２０が形成されている。これにより、溝部２０は、ベース体２と同様に幅方向一方側が凸となるように湾曲して延びている。溝部２０の幅寸法は、たとえばパーテーション本体１の厚さ寸法と略同一とされる。本実施形態では、第２部材２２の高さ寸法は、長さ方向の中央が最も大きく、当該中央から遠ざかるにつれて小さくなっている。
【００２５】
図１１、図１２に表れているように、本実施形態において、縦壁２２１には係止部２２５が設けられている。係止部２２５は、縦壁２２１の長さ方向において離間した複数箇所（本実施形態では２箇所）に設けられている。係止部２２５は、縦壁２２１に形成されたコの字状の貫通部２２６に囲われており、下方側の基端から上方に延びる矩形状の板片として構成されている。係止部２２５の先端には、第１部材２１の起立壁２１２側に突出する係止突起２２５ａが設けられている。係止部２２５は、その厚さ方向（すなわち縦壁２２１の厚さ方向）に弾性的に変位可能である。図１１において、係止部２２５が弾性変形した状態を仮想線で表す。上記構成の第１および第２部材２１，２２は、各々、たとえばＡＢＳ樹脂などの所定の強度を有する合成樹脂によって形成される。
【００２６】
ベース体２へのパーテーション本体１の装着は、パーテーション本体１の装着部位１１１をベース本体２の溝部２０に嵌めることにより行う。まず、図４に示した略平面形態のパーテーション本体１を、装着部位１１１が溝部２０の位置に合うように湾曲させ、溝部２０に向けて押し下げる。ここで、図１３に表れているように、第２部材２２の係止部２２５が装着部位１１１に押されて弾性変形する。さらに装着部位１１１を溝部２０の奥まで押し下げると、図１４に表れているように、貫通孔１１１ａに係止突起２２５ａが嵌入し、係止部２２５が元の状態に戻る。このとき、係止突起２２５ａが貫通孔１１１ａに嵌入することよって、装着部位１１１が溝部２０から抜け出すことは防止される。係止部２２５（係止突起２２５ａ）および貫通孔１１１ａは、本発明でいう抜け止め手段を担う。
【００２７】
図４に示したように、装着部位１１１は外側に凸となるように緩やかに湾曲している。このため、装着部位１１１を溝部２０に嵌めた際に当該溝部２０の奥に隙間が生じることは防止され、安定した装着状態が保たれる。また、装着部位１１１においては、下縁１１における装着部位１１１の両側に対して切欠きが形成されており、当該両側の部位は直線状に延びる、このため、パーテーション本体１をベース体２に装着すると、図３に示されるように、下縁１１における上記両側の部位は、ベース体２（底板２１１）の下面と面一状になる。このようにしてパーテーション本体１をベース体２に装着すると、図１〜図３に示すように、パーテーション本体１は起立姿勢を保つ。
【００２８】
本実施形態において、パーテーション本体１は、その周縁部１０に設けられた装着部位１１１をベース体２に設けられた溝部２０に嵌めることにより、ベース体２に支持される。溝部２０は、平面視において幅方向一方側が凸となるように湾曲して延びているため、この溝部２０にパーテーション本体１の周縁部１０（装着部位１１１）を嵌めることにより、パーテーション本体１のうち装着部位１１１からその上方に延びる部分が平面視において溝部２０と同様に湾曲する。このように、パーテーション本体１がベース体２によって湾曲させられ、その湾曲状態が維持されるので、パーテーション本体１は、起立姿勢を保つことができる。したがって、本実施形態のパーテーションＡ１は、平面視において、パーテーション本体１の湾曲部分を挟んで両側に位置し、交差する方向に延びる２面によって空間を区切ることができる。
【００２９】
本実施形態のパーテーションＡ１は、従来よく知られたオフィスなどの空間を区切るためのパーテーションに比べて、サイズが小さい。このため、パーテーションＡ１は、室内の状況に応じて様々な用途が期待できる。たとえば猫などのペット用トイレの周囲において、パーテーションＡ１を１個または２個用いて２面または３面を囲むことにより、ペット用トイレの砂が周囲に散らかるのを防止し、外観上の体裁を整えることができる。また、たとえばオフィスのデスク上に配置することにより、隣り合う座席間における簡易的な間仕切りとして利用することができる。
【００３０】
パーテーション本体１は、板状であり、かつ湾曲変形可能である。このため、たとえば運搬時や保管時など、パーテーションＡ１を使用しない際には、パーテーション本体１を、ベース体２から分離したうえで、平面状とし、あるいは全体を丸めるように湾曲させることにより、コンパクトにすることができる。したがって、保管時等における占有スペースを小さくすることができ、使い勝手がよい。
【００３１】
ベース体２に設けられた溝部２０は、上方に向かうにつれて溝部２０の平面視において凹となる方向に変位するように傾斜している。これにより、溝部２０に嵌めることにより湾曲した状態で起立するパーテーション本体１についても、図２、図３に表れているように、上方に向かうにつれて平面視において凹となる方向に変位するように傾斜する。パーテーション本体１は、このように傾斜姿勢をとることにより、起立した状態での安定度が向上するので、転倒などの不都合を抑制することができる。
【００３２】
パーテーション本体１の装着部位１１１は、下縁１１の長手方向における中間に部分的に設けられている。このため、ベース体２の長さ方向の寸法は下縁１１の長手方向における全長寸法に比べて小さく、ベース体２をコンパクトにすることができる。
【００３３】
パーテーション本体１の周縁部１０において、上縁１２の長手方向における寸法は、下縁１１の長手方向における寸法よりも短くされている。このような構成によれば、パーテーション本体１は、下縁１１の寸法が長いことによって起立姿勢における安定度がより向上する。また、パーテーション本体１は、全体として矩形状ではない多様な形状を選択することができる。
【００３４】
図１４を参照して上述したように、パーテーション本体１をベース体２に装着した状態において、装着部位１１１が溝部２０から抜け出すことは防止される。このような構成によれば、たとえばパーテーションＡ１を移動させる際に、パーテーション本体１を掴んで持ち上げてもベース体２が脱落することは防止され、使い勝手がよい。
【００３５】
以上、本発明の具体的な実施形態を説明したが、本発明はこれに限定されるものではなく、発明の思想から逸脱しない範囲内で種々な変更が可能である。本発明に係るパーテーションの各部の具体的な形状や材質なども、上記実施形態に限定されるものではない。
【００３６】
上記実施形態において、パーテーション本体１の下縁１１の長手方向における中間に装着部位１１１を１箇所設ける場合を例に挙げて説明したが、これに限定されない。下縁の長手方向の寸法を大きくし、下縁の中間において装着部位（所定部位）を互いに離れた２箇所に設けてもよい。この場合、パーテーションは、１枚のパーテーション本体に対して２個のベース体を備えて構成され、パーテーション本体は、ベース体に装着されると、たとえば平面視において略コの字状をなす３面をもつものとすることができる。
【００３７】
上記実施形態において、溝部２０が傾斜する場合について説明したが、溝部は傾斜することなく垂直方向に沿うように構成してもよい。この場合、パーテーション本体１は、ベース体に装着されると、傾斜することなく略直立姿勢で起立する。
【００３８】
上記実施形態では、パーテーション本体１の下縁１１において、装着部位１１１を他の部位と区別するように設けたが、これに代えて、下縁全体を直線状にし、この下縁のいずれの部位でも溝部に嵌めることができるようにしてもよい。
【００３９】
また、上記実施形態では、パーテーション本体１の下縁１１の一部分である装着部位１１１をベース体２の溝部２０に嵌めるように構成したが、これに代えて、たとえば溝部２０の長さ方向の寸法を下縁１１の長手方向の寸法と対応させて、ベース体２を長いものとしてもよい。
【００４０】
上記実施形態において、溝部２０は平面視において湾曲して延びており、かつパーテーション本体１は溝部２０に対応する形状に湾曲させられる構成としたが、これに限定されない。たとえば、ベース体の溝部については、平面視において屈曲する部位を設けて当該屈曲部位から直線状に延びるように形成し、パーテーション本体については、直線状に薄肉にするなどの手法によって容易に折り曲げることが可能な折り曲げ容易部を具備する構成とすることができる。この場合、パーテーション本体は、上記折り曲げ容易部にて屈曲させて溝部に嵌めることにより、屈曲状態で起立させることができる。
【符号の説明】
【００４１】
Ａ１        パーテーション
１          パーテーション本体
１０        周縁部
１１        下縁
１１１      装着部位（所定部位）
１１１ａ    貫通孔
１２        上縁
２          ベース体
２０        溝部
２１        第１部材
２１１      底板
２１１ａ    ビス用孔
２１１ｂ    位置決め用孔
２１２      起立壁
２２        第２部材
２２１，２２２    縦壁
２２３      ビス取付け穴
２２４      位置決め突起
２２５      係止部
２２５ａ    係止突起
２３        皿ビス
【図１】
2014152552.tif 000003
【図２】
2014152552.tif 000004
【図３】
2014152552.tif 000005
【図４】
2014152552.tif 000006
【図５】
2014152552.tif 000007
【図６】
2014152552.tif 000008
【図７】
2014152552.tif 000009
【図８】
2014152552.tif 000010
【図９】
2014152552.tif 000011
【図１０】
2014152552.tif 000012
【図１１】
2014152552.tif 000013
【図１２】
2014152552.tif 000014
【図１３】
2014152552.tif 000015
【図１４】
2014152552.tif 000016